(57)【要約】【課題】  従来知られている技術では、腹膜透析交換装置に使用する患者コネクタの管径が太くなり、取り扱いが不便であった。【解決手段】  上述した従来技術の問題点を解決するために、本発明においては、分割可能な円筒内面に複数の紫外線発光ダイオードを、その光軸が円筒中心軸に向かうように配置し、円筒中心軸と同軸にコネクタの中心軸を配置することを特徴とした。それにより腹膜透析交換装置に使用する患者コネクタの管径が細くなり、取り扱いが容易になった。【選択図】図１
2008068049.tif 000002
【特許請求の範囲】
【請求項１】
分割可能な円筒内面に複数の紫外線発光ダイオードを、その光軸が円筒中心軸に向かうように配置し、円筒中心軸と同軸にコネクタの中心軸を配置する殺菌手段
【請求項２】
分割可能な円筒内面に複数の紫外線発光ダイオードアレイを、その光軸が円筒中心軸に向かうように配置し、円筒中心軸と同軸にコネクタの中心軸を配置する殺菌手段
【請求項３】
請求項１、請求項２において、紫外線発光ダイオードもしくはダイオードアレイから発光された紫外線が、コネクタにさえぎられ直接他の紫外線発光ダイオードもしくはダイオードアレイを照射しない構造をもつ殺菌手段
【発明の詳細な説明】
【技術分野】
【０００１】  本発明は腹膜透析用自動交換装置等に使用される殺菌手段に関する。
【背景技術】
【０００２】  腹膜透析用自動交換装置に用いられる殺菌手段については、特許文献１にその技術が開示されている。
同装置を用いる腹膜透析治療は、腹膜を透析膜として利用するために、患者の腹腔内に透析液を注入および貯留し、一定時間経過後透析液内に尿毒症物質と体液を取り込み、その後透析液を腹腔外に排出する治療法である。
このように腹膜透析治療を行うには、患者は腹腔内へ透析液の出入りを可能とする患者チューブを腹部に埋め込み、患者チューブ先端に患者コネクタを設け、治療時以外は患者コネクタキャップを用いて気密に保ち、細菌感染を防ぐことが必須である。
透析液注入治療時には清浄な環境で、前記患者コネクタキャップを外し、また滅菌済みの透析液の入ったバッグに接続されたチューブ先端のバッグコネクタからバッグコネクタキャップを外し、患者コネクタ内腔を紫外線照射灯で殺菌を行った後、患者コネクタとバッグコネクタを接続する。
その後透析液バッグからの透析液を患者腹腔内に注入し、注入完了後患者コネクタとバッグコネクタを分離し、患者コネクタ内腔を紫外線照射灯で殺菌を行った後、患者コネクタに患者コネクタキャップを装着し、透析液注入治療を終了する。
透析液排出治療時にも、同様に清浄な環境で、前記患者コネクタキャップを外し、また滅菌済みの空バッグに接続されたチューブからバッグコネクタキャップを外し、患者コネクタ内腔を紫外線照射灯で殺菌を行った後、患者コネクタとバッグコネクタを接続する。
その後腹腔内からの透析液を空バッグに排出し、排出を完了したら患者コネクタとバッグコネクタを分離し、患者コネクタ内腔を紫外線照射灯で殺菌を行った後、患者コネクタに患者コネクタキャップを装着し、透析液排出治療を終了する。
【特許文献１】特開２００１−２３８９４５
【発明の開示】
【発明が解決しようとする課題】
【０００３】  しかしながら従来から知られている技術には以下のような課題があった。
すなわち前記技術では患者コネクタ内腔を紫外線照射灯で殺菌を行う。
紫外線照射灯としては紫外線蛍光ランプがあるが、外径の小さな直管型では片側の電極が患者コネクタ内腔に入り影の部分ができてしまうため用いることができず、筒状型を用いる必要がある。
ただし筒状型の紫外線蛍光ランプは小型のものでも外径が２０ｍｍあり、これを患者コネクタ内腔に挿入するためには、患者コネクタの管径が最低でも２５ｍｍ程度必要となり、患者の取り扱いが不便であった。【０００４】  本発明は上述した従来技術の問題点に鑑みてなされ、患者コネクタの管径を小さくすることが可能な、腹膜透析用自動交換装置等に用いられる殺菌手段を提供するものである。
【課題を解決するための手段】
【０００５】  上述した従来技術の問題点を解決し、上述した目的を達成するために、本発明のうち請求項１に記載した殺菌手段は、分割可能な円筒内面に複数の紫外線発光ダイオードを、その光軸が円筒中心軸に向かうように配置し、円筒中心軸と同軸にコネクタの中心軸を配置することを特徴とする。【０００６】  また前述した従来技術の問題点を解決し、前述した目的を達成するために、本発明のうち請求項２に記載した殺菌手段は、分割可能な円筒内面に複数の紫外線発光ダイオードアレイを、その光軸が円筒中心軸に向かうように配置し、円筒中心軸と同軸にコネクタの中心軸を配置することを特徴とする。【０００７】  さらに前述した従来技術の問題点を解決し、前述した目的を達成するために、本発明のうち請求項３に記載した殺菌手段は、記載した殺菌手段は、請求項１、請求項２において、紫外線発光ダイオードもしくはダイオードアレイから発光された紫外線が、コネクタにさえぎられ直接他の紫外線発光ダイオードもしくはダイオードアレイを照射しない構造をもつことを特徴とする。
【発明の効果】
【０００８】  第１の請求項に記載した発明に基づく殺菌手段を腹膜透析用自動交換装置に利用することで、患者コネクタを小型化することができ、患者の利便性を増すことができる。【０００９】  また、第２の請求項に記載した発明に拠れば、紫外線発光ダイオードを用いた殺菌手段のコストを低減化することができる。【００１０】  更に、第３の請求項に記載した発明に拠れば、紫外線発光ダイオードを用いた殺菌手段の高寿命化が可能になる。
【発明を実施するための最良の形態】
【００１１】  第１の実施形態
以下本発明第１の実施形態の例を、図面を用いて詳細に説明する。
図１は請求項１に記載の発明に対応した第一の実施形態であり、本発明の殺菌手段を腹膜透析用自動交換装置に応用した例である。【００１２】  図１において、１００は固定ホルダであり、患者コネクタキャップホルダ１０１、バッグコネクタホルダ１０２、殺菌手段５００を有している。
また、２００は可動ホルダであり、患者コネクタホルダ２０１、バッグコネクタキャップホルダ２０２を有している。
可動ホルダ２００はＸステージ３００の上をコネクタ軸方向に移動可能な構造である。
さらにＸステージはＹステージ４００の上をコネクタ軸と直角方向に移動可能な構造である。【００１３】  なお、殺菌手段５００は円筒状であり、円筒内部に複数の紫外線発光ダイオード５０１が配置されている。
また複数の紫外線発光ダイオード５０１は、すべて発光方向が円筒中心軸を向くように配置されている。
さらに、殺菌手段はヒンジ５０２を介して上殺菌筒５０３と下殺菌筒５０４に分割し、上殺菌筒５０３がヒンジを中心に回転が可能である。【００１４】  これらの構成要素により、患者コネクタから患者コネクタキャップを分離、バッグコネクタからバッグコネクタキャップを分離、患者コネクタ及びバッグコネクタ開口部の殺菌及び患者コネクタとバッグコネクタの接続という、腹膜透析用自動交換装置に必要な一連の動作ができることを以下に説明する。【００１５】  図２は図１を上面から見た図であり、図１と同じ構成要素には同じ番号を付している。
また、図を簡略化するためにＸステージ及びＹステージは省略してある。
さらに図３には、この腹膜透析用交換装置に使用される、患者コネクタ６０１、患者コネクタキャップ６０２、バッグコネクタ７０１、バッグコネクタキャップ７０２を示している。【００１７】  図４には図２の腹膜透析用交換装置に図３の患者コネクタ６０１、患者コネクタキャップ６０２、バッグコネクタ７０１、バッグコネクタキャップ７０２を装着した様子を示している。
ここで、殺菌手段５００の上殺菌筒５０３はヒンジを中心に９０度回転しており、バッグコネクタ６０２、バッグコネクタキャップ７０２の装着を容易にしている。【００１８】  次に、自動もしくは手動で上殺菌筒５０３を９０度回転させて下殺菌筒５０４の上に置くと、図５となる。
ここで、可動ホルダ２００を自動もしくは手動で、Ｘステージ上を固定ホルダ１００から離れる方向に移動させると、図６のようになり、患者コネクタ６０１から患者コネクタキャップ６０２が取り去られ、またバッグコネクタ７０１からバッグコネクタキャップ７０２が取り去られる。【００１９】  この状態で、Ｘステージを自動もしくは手動で、Ｙステージ上を患者コネクタ６０１とバッグコネクタ７０１が向き合う位置まで、コネクタ軸と直角方向に移動すると図７となる。
続いて、可動ホルダ２００を自動もしくは手動で、Ｘステージ上を固定ホルダ１００に近づく方向に移動させると図８のようになり、この位置で一旦停止する。
次に、この状態で殺菌手段５００の紫外線発光ダイオードに通電すると、ダイオードから紫外線が発光する。【００２０】  殺菌手段５００の円筒内壁には、複数の紫外線発光ダイオード５０１が配置されており、かつその発光方向が円筒中心軸に向かっており、また患者コネクタ６０１及びバッグコネクタ７０１が円筒状であり、殺菌手段の中心軸と患者コネクタ及びバッグコネクタの中心軸を等しくし、さらに患者コネクタ及びバッグコネクタが接続されず近接して置かれた位置で紫外線発光ダイオードが発光するため、患者コネクタ６０１及びバッグコネクタ７０１の開口部が殺菌される。【００２１】  殺菌が完了すれば、紫外線発光ダイオードへの通電を停止し、可動ホルダ２００を自動もしくは手動で、Ｘステージ上を固定ホルダ１００に近づく方向に移動させると図９のようになり、患者コネクタ６０１とバッグコネクタ７０１の接続が完了する。
接続が完了すれば、図１０のように上殺菌筒５０３を、ヒンジを中心に９０度回転することで、図１１に示したように、接続された患者コネクタ６０１とバッグコネクタ７０１と、使用済みの患者コネクタキャップ６０２およびバッグコネクタキャップ７０２の取り出しが可能となる。【００２２】  なお本実施形態に用いる紫外線発光ダイオードとしては、２００６年９月現在ＳＥＮＳＯＲ  ＥＬＥＣＴＲＯＮＩＣＳ  ＴＥＣＨＮＯＬＯＧＹ社が発売する、電流２０ｍＡで０．５ｍＷ出力のＵＶＴＯＰ−２８０等のベアチップを用いることが可能である。
また、紫外線の殺菌能力は波長２６０ｎｍ近辺が最大であることが知られているため、将来波長２６０ｎｍの大出力紫外線発光ダイオードが開発されれば、それらを用いることが可能となる。
また実施に当たっては、紫外線発光ダイオードの光の指向性を勘案し、患者コネクタ及びバッグコネクタ開口部を均等に照射するように、紫外線発光ダイオードの個数や配置を決定する必要がある。【００２３】  第１の実施形態の効果
このように、第一の実施形態では円筒内壁に配置した複数の紫外線発光ダイオードを用いて、患者コネクタ及びバッグコネクタの開口部近傍を周囲から照射し殺菌するため、従来技術に比べ患者コネクタ及びバッグコネクタの管径を、例えば１０ｍｍ程度に小さくすることが可能である。【００２４】  第２の実施形態
次に本発明第２の実施形態の例を、図面を用いて説明する。
第１の実施形態においては、円筒内壁に複数の紫外線発光ダイオードを配置したが、個別の紫外線発光ダイオードごとにケースが必要であり、コスト高になる問題がある。
本実施形態はそれを解消するためのもので、図１２に示したように複数の紫外線発光ダイオードチップ８０１を、開口部を持つ金属ケース８０２に収納し、開口部を紫外線透過ガラス８０３で封止した、紫外線発光ダイオードアレイ８００を示している。
ここで金属ケース８０２は、紫外線発光ダイオードチップからの発熱を外部に効率よく放散させるためと、紫外線によるケースの劣化を防ぐためのものであり、セラミックのケースなども同様な効果が得られれば使用は可能である。
また、ケース断面は特許文献２にあるような、紫外線発光ダイオードチップ側面から出射した光を前面ガラス側に反射するような凹面反射鏡を構成することも可能である。
【特許文献２】特開２００４−１５８８３０
【００２５】  図１３は本実施形態を、腹膜透析交換装置に使用した例であり、殺菌手段５００の円筒内部は紫外線発光ダイオードアレイ８００が複数装着され、その光の出射方向は円筒中心軸に向かっており、円筒内部に留置されたコネクタを均一に照射し殺菌することができる。【００２６】  第２の実施形態の効果
このように、第２の実施形態では殺菌手段５００の円筒内部は紫外線発光ダイオードアレイ８００が複数装着され、その光の出射方向は円筒中心軸に向かっており、円筒内部に留置されたコネクタを均一に照射し殺菌することができ、従来技術に比べ患者コネクタ及びバッグコネクタの直径を小さくすることが可能であるばかりでなく、個別の紫外線発光ダイオードを用いる場合に比べ、コストを低減することが可能である。【００２７】  第３の実施形態
次に本発明第３の実施形態の例を、図面を用いて説明する。
図１４〜１７は、本実施形態を説明する図である。
図１４は、本実施形態におけるコネクタと紫外線発光ダイオードの位置関係を説明する図であり、実施形態１と同じ構成要素には同じ番号を付してある。
図１４において、殺菌手段５００は上殺菌筒５０３と下殺菌筒５０４と分割可能で、それぞれ殺菌筒内壁に狭指向性紫外線発光ダイオード５０５及び広指向性紫外線発光ダイオード５０６が、その発光方向の中心が殺菌手段の中心軸を向いて装着されている。
さらに、患者コネクタ６０１とバッグコネクタ７０１が、ある距離を保ち留置されている状態を、殺菌装置外部から透視している図である。
ここで狭指向性紫外線発光ダイオード５０５を含むＡ−Ａ’断面を示したものが図１５である。【００２８】  図１５においては、狭指向性紫外線発光ダイオード５０５１から発光した紫外線を５０５１０で、狭指向性紫外線発光ダイオード５０５２から発光した紫外線を５０５２０で表している。
本実施形態では、取捨される紫外線と患者コネクタとの関係で、二つの事実を示している。
すなわち第１の事実は、紫外線５０５１０及び５０５２０とも、患者コネクタ６０１の表面を照射し、それ以外の部分を照射していないことである。
また、第２の事実は紫外線５０５１０及び５０５２０とも、患者コネクタ６０１の表面を重なりあって照射していることである。【００２９】  また、図１４において広指向性紫外線発光ダイオード５０６を含むＢ−Ｂ’断面を示したものが図１６である。
ここでも、広指向性紫外線発光ダイオード５０６１から発光した紫外線を５０６１０で、広指向性紫外線発光ダイオード５０６２から発光した紫外線を５０６２０で表し、紫外線５０６１０及び５０６２０とも、バッグコネクタ７０１の表面を照射し、それ以外の部分を照射していないことと、紫外線５０６１０及び５０６２０とも、バッグコネクタ７０１の表面を重なりあって照射していることは、Ａ−Ａ’断面と類似である。【００３０】  さらに、図１７に示すように患者コネクタ６０１とバッグコネクタ７０１の開口部においても、狭指向性紫外線発光ダイオード５０５及び広指向性紫外線発光ダイオード５０６からの紫外線はコネクタを照射し、殺菌筒内壁を照射しない配置としてある。【００３１】  第３の実施形態の効果
このように、第３の実施形態では紫外線発光ダイオードもしくはダイオードアレイから発光された紫外線が、コネクタにさえぎられ直接他の紫外線発光ダイオードもしくはダイオードアレイを照射しないため、紫外線発光ダイオードもしくはダイオードアレイの寿命を伸ばすことが可能である。【００３２】  本発明の殺菌手段は腹膜透析交換装置への応用を中心に説明を行ったが、本発明はこの装置に限定されるものでなく、管状のコネクタの切離し及び接続時に殺菌を必要とする機器・装置への応用が可能である。
【図面の簡単な説明】
【００３３】
【図１】  第１の実施形態を腹膜透析用自動交換装置に応用した例
【図２】  第１の実施形態の上面図
【図３】  第１の実施形態に使用されるコネクタ及びコネクタキャップの図
【図４】  第１の実施形態でコネクタ及びコネクタキャップを装置に装着した図
【図５】  第１の実施形態で上殺菌筒を閉じた図
【図６】  第１の実施形態でコネクタからコネクタキャップを取り去った図
【図７】  第１の実施形態で患者コネクタとバッグコネクタを相対する位置とした図
【図８】  第１の実施形態で患者コネクタを殺菌筒内に挿入した図
【図９】  第１の実施形態で患者コネクタとバッグコネクタを接続した図
【図１０】  第１の実施形態でコネクタ接続後、上殺菌筒を開けた図
【図１１】  第１の実施形態でコネクタ接続後、腹膜透析交換装置からコネクタ及びキャップを取り出した図
【図１２】  第２の実施形態における、紫外線発光ダイオードアレイの説明図
【図１３】  第２の実施形態を腹膜透析交換装置に使用した例
【図１４】  第３の実施形態における、紫外線発光ダイオードとコネクタの位置関係を説明する図
【図１５】  第３の実施形態における、紫外線発光ダイオードと患者コネクタの位置関係を説明する図
【図１６】  第３の実施形態における、紫外線発光ダイオードとバッグコネクタの位置関係を説明する図
【図１７】  第３の実施形態における、紫外線発光ダイオードとコネクタ開口部の位置関係を説明する図
【符号の説明】
１００・・・固定ホルダ
１０１・・・患者コネクタキャップホルダ
１０２・・・バッグコネクタホルダ１０２
２００・・・可動ホルダ
２０１・・・患者コネクタホルダ
２０２・・・バッグコネクタキャップホルダ
３００・・・Ｘステージ
４００・・・Ｙステージ
５００・・・殺菌手段
５０１・・・紫外線発光ダイオード
５０２・・・ヒンジ
５０３・・・上殺菌筒
５０４・・・下殺菌筒
５０５、５０５１、５０５２・・・狭指向性紫外線発光ダイオード
５０５１０、５０５２０・・・狭指向性紫外線発光ダイオードからの紫外線
５０６、５０６１、５０６２・・・・広指向性紫外線発光ダイオード
５０６１０、５０６２０・・・広指向性紫外線発光ダイオードからの紫外線
６０１・・・患者コネクタ
６０２・・・患者コネクタキャップ
７０１・・・バッグコネクタ
７０２・・・バッグコネクタキャップ
８００・・・紫外線発光ダイオードアレイ
８０１・・・紫外線発光ダイオードチップ
８０２・・・金属ケース
８０３・・・紫外線透過ガラス
【図１】
2008068049.tif 000003
【図２】
2008068049.tif 000004
【図３】
2008068049.tif 000005
【図４】
2008068049.tif 000006
【図５】
2008068049.tif 000007
【図６】
2008068049.tif 000008
【図７】
2008068049.tif 000009
【図８】
2008068049.tif 000010
【図９】
2008068049.tif 000011
【図１０】
2008068049.tif 000012
【図１１】
2008068049.tif 000013
【図１２】
2008068049.tif 000014
【図１３】
2008068049.tif 000015
【図１４】
2008068049.tif 000016
【図１５】
2008068049.tif 000017
【図１６】
2008068049.tif 000018
【図１７】
2008068049.tif 000019